(57)【特許請求の範囲】
【請求項１】
ネットワークＬＡＮ上の通信プロトコルとＩＳＤＮ網／構内交換機との間の通信プロトコル変換を行なう機能を備えたプロトコル変換装置と、前記通信プロトコルに従って前記ネットワークＬＡＮ上で情報データを送受信する複数の通信端末とを有した情報通信システムにおいて、
前記通信端末から前記プロトコル変換装置を通してＩＳＤＮ網または構内交換機へ発信を行った場合に、その発信要求信号に対して接続先が通話中または該当する接続先がないために接続ができない時に出力される切断信号に、ＩＳＤＮ網／構内交換機がトーン／アナウンスを提供されるときに載る経過記述＃８の情報があるかを前記通信端末、および前記プロトコル変換装置にて検出し、
前記経過記述＃８の情報を検出した前記通信端末とプロトコル変換装置によって、両装置間で音声通信を行うための処理を行ない、
これによりＩＳＤＮ網／構内交換機が提供するトーン／アナウンスを聴取可能にしたことを特徴とする情報通信システム。
【請求項２】
ネットワークＬＡＮ上の通信プロトコルとＩＳＤＮ網／構内交換機との間の通信プロトコル変換を行なう機能を備えたプロトコル変換装置と、前記通信プロトコルに従って前記ネットワークＬＡＮ上で情報データを送受信する複数の通信端末とを有した情報通信システムにおいて、
前記通信端末から前記プロトコル変換装置を通してＩＳＤＮ網または構内交換機へ発信を行った場合に、その発信要求信号に対して接続先が応答する前に前記ＩＳＤＮ網または構内交換機から前記通信端末に返される呼出信号に、ＩＳＤＮ網／構内交換機がトーン／アナウンスを提供されるときに載る経過記述＃８の情報があるかを前記通信端末、および前記プロトコル変換装置にて検出し、前記経過記述＃８の情報を検出した前記通信端末とプロトコル変換装置によって、両装置間で音声通信を行うための処理を行ない、これにより、ＩＳＤＮ網／構内交換機が提供するトーン／アナウンスを聴取可能にしたことを特徴とする情報通信システム。
【請求項３】
ネットワークＬＡＮ上の通信プロトコルとＩＳＤＮ網／構内交換機との間の通信プロトコル変換を行なう機能を備えたプロトコル変換装置と、前記通信プロトコルに従って前記ネットワークＬＡＮ上で情報データを送受信する複数の通信端末とを有した情報通信システムにおいて、
前記通信端末から前記プロトコル変換装置を通してＩＳＤＮ網または構内交換機へ発信を行った場合に、その発信要求信号に対する発信受付信号に、ＩＳＤＮ網／構内交換機がトーン／アナウンスを提供されるときに載る経過記述＃８の情報があるかを前記通信端末、および前記プロトコル変換装置にて検出し、
前記経過記述＃８の情報を検出した前記通信端末とプロトコル変換装置によって、両装置間で音声通信を行うための処理を行ない、
これにより、ＩＳＤＮ網／構内交換機からの呼出信号、応答信号が遅延して送られてきた場合に発生する音声の頭切れを防止することを特徴とする情報通信システム。
【請求項４】
前記発信受付信号後に出力される切断信号に前記経過記述＃８情報を付加して出力し、前記切断信号を受信した通信端末とプロトコル変換装置との間は切断せずに、既に張られている音声通信をそのままにして、ＩＳＤＮ網／構内交換機が提供するトーン／アナウンスを聴取することを特徴とする請求項３記載の情報通信システム。
【請求項５】
前記発信要求信号に対する前記切断信号、または前記呼出信号、または前記発信受付信号で、音声通信を行なうための処理を行うかどうかを通信端末側で選択としたことを特徴とする請求項１乃至３のいずれか１項記載の情報通信システム。
【請求項６】
前記発信要求信号に対する前記切断信号、または前記呼出信号、または前記発信受付信号で、音声通信を行なうための処理を行なうかどうかを前記プロトコル変換装置で選択可能にしたことを特徴とする請求項１乃至３のいずれか１項記載の情報通信システム。
【請求項７】
前記発信要求信号に対する切断信号で、既に張られている音声通信をそのままにするか切断処理を行なうかどうかを通信端末側で選択が可能であることを特徴とする請求項４記載の情報通信システム。
【請求項８】
前記発信要求信号に対する切断信号で、既に張られている音声通信をそのままにするか切断処理を行なうかどうかをプロトコル変換装置で選択が可能であることを特徴とする請求項４記載の情報通信システム。
【発明の詳細な説明】
【０００１】
【発明の属する技術分野】
本発明は、ネットワークＬＡＮ上に接続された通信端末がプロトコル変換装置を介してＩＳＤＮ網または構内交換機（ＰＢＸ）と接続される情報通信システムに関し、特に発信要求に対する切断信号、呼出信号、発信受付信号などによって通信端末とプロトコル変換装置との間の音声通信を制御する情報通信システム関する。
【０００２】
【従来の技術】
従来の情報通信システムでは、通信ネットワークＬＡＮ内の通信端末からＩＳＤＮ網／構内交換機との通信プロトコルの変換を行なう機能を備えたプロトコル変換装置へ発信して、接続先の端末が通話中、または該当する接続先端末が存在しないために接続できない場合には、そのまま切断処理が行なわれるために、ＩＳＤＮ網／構内交換機から提供されるトーン／アナウンスを聴くことができなかった。
【０００３】
同様に、接続先端末が呼出時に提供されるトーンも聞くことができなかつた。また、接続先端末から応答信号が遅れて送出されてきた場合には、音声の頭切れが発生するなどの問題があった。
【０００４】
【発明が解決しようとする課題】
従来の情報通信システムでは、接続先の端末が通話中、または該当する接続先端末が存在しないために接続できない場合には、そのまま切断処理が行なわれるために、ＩＳＤＮ網／構内交換機から提供されるトーン／アナウンスを聴くことができなかった。また、接続先端末が呼出時に提供されるトーンも聞くことができなかつた。また、接続先端末から応答信号が遅れて送出されてきた場合には、音声の頭切れが発生するなどの問題があった。
【０００５】
本発明は、上記の問題点を解決するためになされたもので、通信ネットワークＬＡＮ内の通信端末からプロトコル変換装置を経由してＩＳＤＮ網／構内交換機へ発信した場合、接続先端末が通話中、または該当する接続先端末が存在しないために接続できないために切断処理を行なう時、ＩＳＤＮ網／構内交換機がトーン／アナウンスを提供されるときに載る経過記述＃８（インチャネル情報が使用可能）の情報を用いて、通信端末とプロトコル変換装置との間で音声通信を行なうための処理を行なうことによりＩＳＤＮ網／構内交換機が提供するトーン／アナウンスを聞くことを可能とする情報通信システムを提供することを目的とする。
【０００６】
また、呼出信号受信時にもＩＳＤＮ網／構内交換機がトーン／アナウンスを提供されるときに載る経過記述＃８（インチャネル情報が使用可能）の情報を用いて、通信端末とプロトコル変換装置との間で音声通信を行なうための処理を行なうことによりＩＳＤＮ網／構内交換機が提供するトーンを聴くことを可能とする情報通信システムを提供することを目的とする。
【０００７】
また、発信要求での発信信号受信時に、通信端末とプロトコル変換装置との間であらかじめ音声通信を行なうための処理をすることにより、応答信号が遅延してきた場合に発生していた音声の頭切れが解消される情報通信システムを提供することを目的とする。
【０００８】
【課題を解決するための手段】
上記目的を達成するために、本発明の情報通信システムは、ネットワークＬＡＮ上の通信プロトコルとＩＳＤＮ網／構内交換機との間の通信プロトコル変換を行なう機能を備えたプロトコル変換装置と、前記通信プロトコルに従って前記ネットワークＬＡＮ上で情報データを送受信する複数の通信端末とを有した情報通信システムにおいて、前記通信端末から前記プロトコル変換装置を通してＩＳＤＮ網または構内交換機へ発信を行った場合に、その発信要求信号に対して接続先が通話中または該当する接続先がないために接続ができない時に出力される切断信号に、ＩＳＤＮ網／構内交換機がトーン／アナウンスを提供されるときに載る経過記述＃８の情報があるかを前記通信端末、および前記プロトコル変換装置にて検出し、前記経過記述＃８の情報を検出した前記通信端末とプロトコル変換装置によって、両装置間で音声通信を行うための処理を行ない、これによりＩＳＤＮ網／構内交換機が提供するトーン／アナウンスを聴取可能にしたことを特徴とする。
【０００９】
このような構成により、情報ネットワークＬＡＮ内の通信端末からＩＳＤＮ網または構内交換機を経由して外部端末と接続する場合、発信要求信号に対するＩＳＤＭ網または構内交換機からの切断信号に経過記述＃８の情報があるか否かを検出して、これを検出した時に、ＩＳＤＮ網または構内交換機との接続を司るプロトコル変換装置と通信端末との装置間の音声通信を行なう為の処理を行なうことにより、ＩＳＤＮ網／構内交換機が提供するトーン／アナウンスを聴くことが可能となる。
【００１０】
【発明の実施の形態】
以下、本発明に係る情報処理システムの実施形態について図面を参照して説明する。
図１は本発明に係る情報通信システムの全体構成を示すブロック図である。システム内のネットワークＬＡＮ１０上にＩＳＤＮ網／構内交換機との通信プロトコルの変換を行なう機能を備えたプロトコル変換装置２０、２０と、複数の通信ネットワークＬＡＮとの間で情報データ、音声データを送受信する通信端末３０、３０、３０と、プロトコル変換装置２０、２０と通信端末３０、３０、３０に関する通信制御を統括的に制御する通信端末制御装置（ゲートキーパ）４０が接続されている。
【００１１】
そして、プロトコル変換装置２０、２０はＩＳＤＮ網／公衆回線網（以下単にＩＳＤＮ網と称する）５０に接続され、ＩＳＤＮ網５０には外部の端末（外線電話等）が接続されている。さらに、ネットワークＬＡＮ１０には構内交換機（ＰＢＸ）６０が接続され、この構内交換機６０には外部端末（外線電話等）が接続されている。
【００１２】
プロトコル変換装置２０、２０は、ＩＳＤＮ網５０と接続するためのインタフェースＩＦ２と、全体を制御するＣＰＵ、ネットワークＬＡＮ１０と接続するためのインタフェースＩＦ０と、インタフェースＩＦ２とインタフェースＩＦ０を接続する接続部などによって構成されている。このプロトコル変換装置２０は、外部端末から送られてきた音声信号を音声パケット情報に変換して、ネットワークＬＡＮ１０を経由して通信端末制御装置４０や通信端末３０に送信する機能や、通信端末３０から送られてきた音声パケット情報を音声信号に変換してＩＳＤＮ網５０を経由して外線端末に送信する機能を有する。なお、プロトコル変換装置２０、２０は二重化構成としているが、１つで構成しても良い。
【００１３】
通信端末３０、３０、３０は、ネットワークＬＡＮ１０と接続するためのインタフェースＩＦ０と、電話機能を有するコンピュータと、このコンピュータとインタフェースＩＦ０を接続する接続部などによって構成されている。この通信端末３０は各種のサービス処理を行なう機能の他に、ネットワークＬＡＮ１０を経由して受信した音声パケット情報を音声信号に変換して電話機能を有するコンピュータに音声出力する機能や、電話機能を有するコンピュータからの音声信号を音声パケット情報に変換して、ネットワークＬＡＮ１０を経由してプロトコル変換装置２０へ送出する機能などを有する。
【００１４】
通信端末制御装置４０は、ネットワークＬＡＮ１０と接続するためのインタフェースＩＦ０と、サーバ機能を有するコンピュータと、このコンピュータとインタフェースＩＦ０を接続する接続部などによって構成されている。この通信端末制御装置３０はネットワークＬＡＮ１０に接続される機器の管理情報を記憶して、プロトコル変換装置２０、２０と通信端末３０、３０、３０との接続制御、および構内交換機６０と通信端末３０、３０、３０との接続制御を行なう。この接続処理は、プロトコル変換装置２０または通信端末３０から通信端末制御装置４０に対して接続要求が行なわれ、通信端末制御装置４０は接続要求に含まれる情報から接続先となる通信端末３０またはプロトコル変換装置２０を検索し、その間の接続制御を行なう。
【００１５】
図２は、システム内のネットワークＬＡＮ上の通信端末からＩＳＤＮ網または構内交換機への音声通信を行う際のシーケンスを示す図である。
ユーザがネットワークＬＡＮ上の通信端末３０から発信操作を行なうと、通信端末３０から通信制御を統括的に制御する通信端末制御装置４０に発信要求が送信される。通信端末制御装置４０は、この発信要求の接続先を分析し、接続先がＩＳＤＮ網５０または構内交換機６０である場合には、プロトコル変換装置２０（稼動系のプロトコル変換装置）または構内交換機６０へ発信要求を送信する。
【００１６】
例えば、図２に示すように、ＩＳＤＮ網５０を経由した外部端末との接続である場合、通信端末制御装置４０は、プロトコル変換装置２０を経由してＩＳＤＮ網５０に発信要求を送信する。
【００１７】
この発信要求を受けたＩＳＤＮ網５０は、該当する接続先がある場合には発信受付および呼出をプロトコル変換装置２０、通信端末制御装置４０を経由して通信端末３０へ返す。また、発信要求を受けた外部端末から応答が帰ってきた場合、ＩＳＤＮ網５０、プロトコル変換装置２０、通信端末制御装置４０を経由して通信端末３０へ応答信号が送られる。これにより、発信元と受信先の接続ルートが確立されることから、以降、通信端末制御装置４０を介さず、プロトコル変換装置２０と通信端末３０との間とで音声通信を行なうための処理を行い、通信端末３０とプロトコル変換装置２０との間で音声通信が可能となる。つまり、ＩＳＤＮ網５０に接続される外部端末と通信端末３０との音声通信／データ通信が可能となる。
【００１８】
構内交換機６０を介した音声通信では、プロトコル変換装置２０と構内交換機６０およびその接続先の外線端末との間で同様に交信されるもので、ＩＳＤＮ網５０の動きが構内交換機６０によって処理されると理解すればよい。
【００１９】
（第１の実施形態）
上記した構成および動作を基本とする本発明の情報通信システムの第１の実施形態について説明する。
図３は、第1の実施形態の動作シーケンスを示す図である。ユーザがネットワークＬＡＮ１０上の通信端末３０から発信操作を行うと、通信端末３０から通信制御を統括的に制御する通信端末制御装置４０に発信要求が送信される。通信端末制御装置４０は、この発信要求の接続先を分析し、接続先がＩＳＤＮ網または構内交換機の場合には、ＩＳＤＮ網または構内交換機との通信プロトコルの変換を行なう機能を備えたプロトコル変換装置２０へ発信要求を送信する。
【００２０】
そして、プロトコル変換装置２０から発信要求を受けたＩＳＤＮ網５０または構内交換機６０は、接続先が通話中または該当する接続先がない場合には発信受付および切断信号をプロトコル変換装置２０、通信端末制御装置４０を経由して通信端末３０へ返す。
【００２１】
プロトコル変換装置２０および通信端末３０は、この切断信号にＩＳＤＮ網／構内交換機がトーン／アナウンスを提供されるときに載る経過記述＃８（インチャネル情報が使用可能）の情報があるか否かを検出する。この経過記述＃８を受信検出した通信端末３０とプロトコル変換装置２０は、両装置間で音声通信を行なうための処理を行うように動作する。これにより、ＩＳＤＮ網５０または構内交換機６０から送出されるトーン／アナウンスを通信端末３０から聞くことができるようになる。その後、通信を切断する場合には、通信端末３０から前記経過記述＃８の情報がない切断信号をＩＳＤＮ網５０または構内交換機６０に対し出力し、切断処理を行う。この実施形態によれば、通信端末３０およぴプロトコル変換装置２０のそれぞれに対して、音声通信を行なうための処理を行うかどうかをデータとして持つことにより選択ができる。
【００２２】
（第２の実施形態）
次に、この発明の第２の実施形態について説明する。
図４は、第２の実施形態の動作シーケンスを示す図である。ユーザがネットワークＬＡＮ上の通信端末３０からプロトコル変換装置２０へ発信要求を送信するまでは同じであるので、その説明を省略する。
【００２３】
そして、プロトコル変換装置２０から発信要求を受けたＩＳＤＮ網５０または構内交換機６０は、該当する接続先がある場合には発信受付および呼出信号をプロトコル変換装置２０、通信端末制御装置４０を経由して通信端末３０へ返す。プロトコル変換装置２０および通信端末３０は、この呼出信号にＩＳＤＮ網／構内交換機がトーン／アナウンスを提供されるときに載る経過記述＃８（インチャネル情報が使用可能）の情報があるか否かを検出する。この経過記述＃８を受信検出した通信端末３０とプロトコル変換装置２０は、両装置間で音声通信を行なうための処理を行う。
【００２４】
これにより、ＩＳＤＮ網５０または構内交換機６０から送出されるトーンを通信端末３０から聴くことができるようになる。その後、ＩＳＤＮ網５０または構内交換機６０から通信経路を辿り通信端末３０へ応答信号が送られた場合、通信端末３０では既に音声通信の処理は実行されているので、音声通信を行うため以外の処理が行われる。一方、通信端末３０とプロトコル変換装置２０の間は直ちに音声通信を開始することができ、ＩＳＤＮ網５０または構内交換機６０を経由した外部端末との通話が行われる。
【００２５】
（第３の実施形態）
次に、この発明の第３実施形態について説明する。
図５は、第３の実施形態の動作シーケンスを示す図である。ユーザがネットワークＬＡＮ上の通信端末３０からプロトコル変換装置２０へ発信要求を送信するまでは同じであるので、その説明を省略する。
【００２６】
そして、プロトコル変換装置２０から発信要求を受けたＩＳＤＮ網５０または構内交換機６０は、接続を受付する場合には、発信受付信号をプロトコル変換装置２０、通信端末制御４０を経由して通信端末３０へ返す。同様に、プロトコル変換装置２０および通信端末３０は、この発信受付信号にＩＳＤＮ網／構内交換機がトーン／アナウンスを提供されるときに載る経過記述＃８（インチャネル情報が使用可能）の情報があるか否かを検出する。この経過記述＃８を受信検出した通信端末３０とプロトコル変換装置４０は、両装置間で音声通信を行なうための処理を行う。
【００２７】
その後、ＩＳＤＮ網５０または構内交換機６０から通信端末３０に呼出信号、応答信号が送信され、これら信号を受信した通信端末３０では音声通信を行うため以外の処理のみが行われる。通信端末３０とプロトコル変換装置４０間の音声通信が可能な状態にあることから、通信端末３０とＩＳＤＮ網５０または構内交換機６０との間でも音声通信が可能となり、発信直後にＩＳＤＮ網５０または構内交換機６０から送出されるトーン／アナウンスを通信端末３０から聞くことができる。また、ＩＳＤＮ網５０または構内交換機６０から呼出信号および応答信号が遅れて受信されても、既に音声通信は行なわれているので、音声の頭切れは発生しない。
【００２８】
（第４の実施形態）
次に、この発明の第４の実施形態について説明する。
図６は、第４の実施形態の動作シーケンスを示す図である。ユーザがネットワークＬＡＮ上の通信端末３０からプロトコル変換装置２０へ発信要求し、発信受付信号から経過記述＃８を検出し、通信端末３０とプロトコル変換装置４０との間で音声通信を行なうための処理までは第３の実施形態と同じであるので、その説明は省略する。
【００２９】
その後、ＩＳＤＮ網５０または構内交換機６０は、接続先が通信中または該当する接続先がない場合には、切断信号をプロトコル変換装置２０、通信端末制御装置４０を経由して通信端末３０に返す。
【００３０】
この切断信号に経過記述＃８の情報があることを検出する場合は、プロトコル変換装置２０、通信端末３０は切断処理を行なわずに信号の通知のみを行なう。これにより、プロトコル変換装置２０と通信端末３０の間は音声通信が可能な状態を保っていることから、ＩＳＤＮ網５０または構内交換機６０から送出されるトーン／アナウンスを通信端末３０から聴くことができる。
【００３１】
なお、上述した第１乃至第４の実施形態について、以下の応用が可能である。即ち、発信要求信号に対する切断信号（第１の実施形態）、または呼出信号（第２の実施形態）、または発信受付信号（第３、第４の実施形態）で、音声通信を行なうための処理を行うかどうかを通信端末側で選択可能とすることが出来る。
【００３２】
また、発信要求信号に対する切断信号（第１の実施形態）、または呼出信号（第２の実施形態）、または発信受付信号（第３、第４の実施形態）で、音声通信を行なうための処理を行なうかどうかをプロトコル変換装置で選択可能とすることが出来る。また、発信要求信号に対する切断信号（第４の実施形態）で、すでに音声通信をそのままにするか切断処理を行なうかどうかを通信端末側で選択可能とすることが出来る。更に、発信要求信号に対する切断信号（第４の実施形態）で、すでに音声通信をそのままにするか切断処理を行なうかどうかをプロトコル変換装置で選択可能とすることが出来る。
【００３３】
【発明の効果】
以上記述した本発明によれば、情報ネットワークＬＡＮ内の通信端末からＩＳＤＮ網または構内交換機を経由して外部の接続端末に音声通信する場合、発信要求に対するＩＳＤＭ網または構内交換機からの切断信号あるいは発信受付信号に経過記述＃８の情報が付加して送信し、これを受信したＩＳＤＮ網または構内交換機との接続を司るプロトコル変換装置と通信端末は、両装置間の音声通信を行なう為の処理を行なうことにより、発信の接続先が通話中、または該当する接続先がない場合、ＩＳＤＮ網／構内交換機が提供するトーン／アナウンスを聴くことが可能となる。また、呼出時もＩＳＤＮ網／構内交換機が提供するトーンを聴くことが可能となる。また、接続先により応答信号が遅延してきた場合に発生していた音声の頭切れが解消される。
【図面の簡単な説明】
【図１】この発明に係る情報通信システムが適用される全体構成を示す構成図。
【図２】本発明の情報通信システムにおける通信端末からＩＳＤＮ網または構内交換機への音声通信を行う際のシーケンスを示す図。
【図３】本発明の第１の実施形態の動作シーケンスを示す図。
【図４】本発明の第２の実施形態の動作シーケンスを示す図。
【図５】本発明の第３の実施形態の動作シーケンスを示す図。
【図６】本発明の第４の実施形態の動作シーケンスを示す図。
【符号の説明】
１０…ネットワークＬＡＮ、２０…プロトコル変換装置
３０…通信端末、４０…通信端末制御装置
５０…ＩＳＤＮ網／公衆回線網、６０…構内交換機（ＰＢＸ）
【図１】
0003866496.tif 000002
【図２】
0003866496.tif 000003
【図３】
0003866496.tif 000004
【図４】
0003866496.tif 000005
【図５】
0003866496.tif 000006
【図６】
0003866496.tif 000007